(57)【要約】【課題】ケースと電極組立体との短絡を抑制すること。【解決手段】二次電池１０は、ケース２０に収容された電極組立体４０と、ケース２０と電極組立体４０とを電気的に絶縁している絶縁シート３０とを備える。電極組立体４０は、負極電極４１と、正極電極５１と、袋状セパレータ８１とを備える。負極電極４１は、負極本体４２と、負極タブとを備える。負極本体４２は、負極面取部６６を備える。負極面取部６６は、負極下端面と各負極側端面との間に位置して負極下端面と各負極側端面とを接続している。袋状セパレータ８１は、互いに平行であるセパレータ上端面及びセパレータ下端面と、互いに平行である一対のセパレータ側端面とを備える。負極電極４１と正極電極５１の積層方向から見て、セパレータ下端面とセパレータ側端面とが接続する角Ｃ２は、負極面取部６６と絶縁シート３０との間に位置している。【選択図】図７
2018142512.tif 000002
【特許請求の範囲】
【請求項１】
複数の正極電極と複数の負極電極とを前記正極電極と前記負極電極との間に配置したセパレータで絶縁した状態で交互に積層した電極組立体と、
前記電極組立体が収容されたケースと、
前記電極組立体と前記ケースとの間に介在し、前記電極組立体と前記ケースとを絶縁している絶縁シートと、を備え、
前記ケースは、底壁と、側壁と、前記底壁と前記側壁とを繋ぐケース隅部と、を備え、
前記負極電極は、負極金属箔に負極活物質層を設けた負極本体と、前記負極金属箔からなり、前記負極本体から延びる負極タブと、を備え、
前記負極本体は、前記絶縁シートを介して前記底壁に向かい合う第１負極面と、前記絶縁シートを介して前記側壁に向かい合う第２負極面と、前記第１負極面と前記第２負極面との間に位置して前記第１負極面と前記第２負極面とを接続し、前記絶縁シートを介して前記ケース隅部に向かい合う負極面取部と、を備え、
前記セパレータは、前記絶縁シートを介して前記底壁に向かい合う第１セパレータ面と、前記絶縁シートを介して前記側壁に向かい合い、前記第１セパレータ面に接続する第２セパレータ面と、を備え、
前記正極電極と前記負極電極との積層方向から見て、前記負極本体の外形は前記セパレータの外形内に収まり、
前記第１セパレータ面と前記第２セパレータ面とが接続する角は、前記積層方向から見て、前記負極面取部と前記絶縁シートとの間に位置している蓄電装置。
【請求項２】
前記正極電極は、正極金属箔に正極活物質層を設けた正極本体と、前記正極金属箔からなり、前記正極本体から延びる正極タブと、を備え、
前記正極本体は、前記絶縁シートを介して前記底壁に向かい合う第１正極面と、前記絶縁シートを介して前記側壁に向かい合う第２正極面と、前記第１正極面と前記第２正極面の間に位置して前記第１正極面と前記第２正極面とを接続し、前記絶縁シートを介して前記ケース隅部に向かい合う正極面取部と、を備える請求項１に記載の蓄電装置。
【請求項３】
前記ケース隅部の内面は、アール状であり、
前記負極面取部は、前記ケース隅部の内面に向けて膨らむアール状であり、
前記ケース隅部の前記内面の半径は、前記負極面取部の半径に前記絶縁シートの厚みを加えた寸法よりも小さい請求項１又は請求項２に記載の蓄電装置。
【発明の詳細な説明】
【技術分野】
【０００１】
本発明は、蓄電装置に関する。
【背景技術】
【０００２】
二次電池や、キャパシタなどの蓄電装置は、金属製のケースと、ケースに収容された電極組立体とを備える。電極組立体は、正極電極と、負極電極と、正極電極と負極電極とを絶縁するセパレータとを備える。蓄電装置に加わる振動や衝撃などで電極組立体がケースに接すると短絡の原因となる。特許文献１に記載の蓄電装置は、ケースと電極組立体との間に介在している絶縁シートを備える。絶縁シートによってケースと電極組立体とを電気的に絶縁することで、ケースと電極組立体との短絡を抑制している。
【先行技術文献】
【特許文献】
【０００３】
【特許文献１】特開２０１１−１９８６６３号公報
【発明の概要】
【発明が解決しようとする課題】
【０００４】
ところで、複数の正極電極と複数の負極電極とを交互に積層した電極組立体を用いる場合、各電極の角と、ケースの底壁及び側壁とで絶縁シートが挟まれる。この状態で蓄電装置に振動や衝撃が加わると、各電極の角から絶縁シートに加わる荷重により絶縁シートが損傷し、短絡の原因となる。
【０００５】
本発明の目的は、ケースと電極組立体との短絡を抑制できる蓄電装置を提供することにある。
【課題を解決するための手段】
【０００６】
上記課題を解決する蓄電装置は、複数の正極電極と複数の負極電極とを前記正極電極と前記負極電極との間に配置したセパレータで絶縁した状態で交互に積層した電極組立体と、前記電極組立体が収容されたケースと、前記電極組立体と前記ケースとの間に介在し、前記電極組立体と前記ケースとを絶縁している絶縁シートと、を備え、前記ケースは、底壁と、側壁と、前記底壁と前記側壁とを繋ぐケース隅部と、を備え、前記負極電極は、負極金属箔に負極活物質層を設けた負極本体と、前記負極金属箔からなり、前記負極本体から延びる負極タブと、を備え、前記負極本体は、前記絶縁シートを介して前記底壁に向かい合う第１負極面と、前記絶縁シートを介して前記側壁に向かい合う第２負極面と、前記第１負極面と前記第２負極面との間に位置して前記第１負極面と前記第２負極面とを接続し、前記絶縁シートを介して前記ケース隅部に向かい合う負極面取部と、を備え、前記セパレータは、前記絶縁シートを介して前記底壁に向かい合う第１セパレータ面と、前記絶縁シートを介して前記側壁に向かい合い、前記第１セパレータ面に接続する第２セパレータ面と、を備え、前記正極電極と前記負極電極との積層方向から見て、前記負極本体の外形は前記セパレータの外形内に収まり、前記第１セパレータ面と前記第２セパレータ面とが接続する角は、前記積層方向から見て、前記負極面取部と前記絶縁シートとの間に位置している。
【０００７】
これによれば、負極面取部を設けることで、第１負極面と第２負極面とで、直角や鋭角が形成されないようにしている。更に、正極電極と負極電極との積層方向から見て、セパレータの角を、負極面取部と絶縁シートとの間に位置させることで、セパレータの一部が負極面取部と絶縁シートとの間に介在する。負極面取部が絶縁シートに接触しようとすると、セパレータを介して絶縁シートに接触することになる。これにより、ケースと電極組立体との短絡を抑制することができる。
【０００８】
上記蓄電装置について、前記正極電極は、正極金属箔に正極活物質層を設けた正極本体と、前記正極金属箔からなり、前記正極本体から延びる正極タブと、を備え、前記正極本体は、前記絶縁シートを介して前記底壁に向かい合う第１正極面と、前記絶縁シートを介して前記側壁に向かい合う第２正極面と、前記第１正極面と前記第２正極面の間に位置して前記第１正極面と前記第２正極面とを接続し、前記絶縁シートを介して前記ケース隅部に向かい合う正極面取部と、を備えていてもよい。
【０００９】
これによれば、正極電極に正極面取部を設けることで、正極電極と絶縁シートの接触によって絶縁シートが損傷することを抑制することができる。
上記蓄電装置について、前記ケース隅部の内面は、アール状であり、前記負極面取部は、前記ケース隅図の内面に向けて膨らむアール状であり、前記ケース隅部の前記内面の半径は、前記負極面取部の半径に前記絶縁シートの厚みを加えた寸法よりも小さくてもよい。
【００１０】
これによれば、負極面取部と、絶縁シートとの間の隙間が維持されやすい。負極面取部が絶縁シートに接触しにくく、絶縁シートの損傷が更に抑制される。
【発明の効果】
【００１１】
本発明によれば、ケースと電極組立体との短絡を抑制できる。
【図面の簡単な説明】
【００１２】
【図１】二次電池の分解斜視図。
【図２】二次電池の一部を拡大して示す断面図。
【図３】電極組立体の分解斜視図。
【図４】正極電極、負極電極、及び、セパレータの正面図。
【図５】電極組立体の一部を拡大して示す斜視図。
【図６】電極組立体を示す図５の６−６線断面図。
【図７】二次電池を示す図２の７−７線断面図。
【図８】面取部の変形例を示す図。
【発明を実施するための形態】
【００１３】
以下、蓄電装置の一実施形態について説明する。
図１に示すように、蓄電装置としての二次電池１０は、箱状のケース２０と、ケース２０に収容された電極組立体４０とを備える。本実施形態の二次電池１０は、角型電池であり、リチウムイオン電池である。ケース２０は、本体２２と、蓋部材２１とを備える。
【００１４】
図１及び図２に示すように、本体２２は、矩形状の底壁２３と、四角筒状の側壁２５と、底壁２３と側壁２５とを繋ぐケース隅部２４と、を備える。側壁２５は、ケース隅部２４を介して、底壁２３から立設している。ケース隅部２４は、底壁２３から側壁２５に向けて、ケース２０の外側に凸となるアール形状（円弧形状）である。ケース２０は、深絞り加工や、インパクトプレス加工などの塑性加工によって金属板を塑性変形させることで製造されている。ケース隅部２４は、塑性加工に際して生じるものである。
【００１５】
側壁２５は、互いに向かい合う一対の第１側部２６と、互いに向かい合う一対の第２側部２７と、を備える。第１側部２６は、底壁２３の短辺からケース隅部２４を介して立設している。第２側部２７は、底壁２３の長辺からケース隅部２４を介して立設している。
【００１６】
電極組立体４０は、本体２２に収容されている。蓋部材２１は、本体２２に電極組立体４０を収容した後に本体２２に溶接されることで、側壁２５によって囲まれた開口部２８を閉塞している。
【００１７】
二次電池１０は、ケース２０に収容された電極組立体４０と、ケース２０とを電気的に絶縁している絶縁シート３０を備える。絶縁シート３０は、本体２２の内面と電極組立体４０との間に介在している。絶縁シート３０は、例えば、ポロプロピレン製である。絶縁シート３０の厚みＴは、例えば、１５０μｍ以上である。絶縁シート３０は、本体２２の内面に沿っている。
【００１８】
図３に示すように、電極組立体４０は、複数の負極電極４１と、複数の正極電極５１と、複数の袋状セパレータ８１と、を備える。正極電極５１は、袋状セパレータ８１に収納されている。
【００１９】
負極電極４１は、負極本体４２と、負極タブ４３とを備える。負極本体４２は、負極金属箔（本実施形態では銅箔）４４と、負極金属箔４４の両面に設けられた負極活物質層４５とを備える。負極活物質層４５は、負極用の活物質、バインダ、及び導電助剤などを含有している。負極タブ４３は、負極金属箔４４の一部を負極本体４２から突出するように延ばした部分である。
【００２０】
正極電極５１は、正極本体５２と、正極タブ５３とを備える。正極本体５２は、正極金属箔（本実施形態ではアルミニウム箔）５４と、正極金属箔５４の両面に設けられた正極活物質層５５とを備える。正極活物質層５５は、正極用の活物質、バインダ、及び導電助剤などを含有している。正極タブ５３は、正極金属箔５４の一部を正極本体５２から突出するように延ばした部分である。
【００２１】
リチウムイオン電池においては、負極電極４１でのリチウムの析出を抑制するために負極電極４１の容量を正極電極５１の容量に比べて多くしている。したがって、負極本体４２を正面視したときの面積は正極本体５２を正面視したときの面積よりも大きく、厚みを除く負極本体４２の外形寸法は正極本体５２の外形寸法よりも大きい。まず、負極本体４２について説明する。
【００２２】
図３及び図４に示すように、負極本体４２は、正面視したときに短辺と長辺とを備える略矩形状である。負極本体４２は、互いに平行に延びる面である負極上端面６２及び負極下端面６３を周縁に備える。負極上端面６２及び負極下端面６３は、矩形状である。負極上端面６２及び負極下端面６３は、負極本体４２を正面視したときに長辺を構成する面である。負極本体４２は、互いに平行に延びる面である一対の負極側端面６４，６５を周縁に備える。負極側端面６４，６５は、負極本体４２を正面視したときに短辺を構成する面である。負極タブ４３は、負極上端面６２に一体に設けられている。
【００２３】
負極本体４２は、負極下端面６３と各負極側端面６４，６５との間に位置して負極下端面６３と各負極側端面６４，６５とを接続している負極面取部６６を備える。負極面取部６６は、２つ設けられている。負極面取部６６は、負極下端面６３と各負極側端面６４，６５に対して斜めに交わる面である。負極上端面６２、負極下端面６３、及び、負極側端面６４，６５によって負極本体４２の周縁は構成されている。本実施形態の負極面取部６６は、Ｃ面状である。
【００２４】
「負極面取部」とは、負極面取部６６がなければ直角、あるいは、鋭角に交わる面同士を繋ぐことで、電極組立体４０における底壁２３及び側壁２５と対向する部位に直角、あるいは、鋭角が生じないようにしている面である。「負極面取部」とは、実際に面取りを行うことで生じた面のみを示すものではなく、直角、あるいは、鋭角を底壁２３と対向する部位に備える負極本体４２を面取りしたと想定した面も含む。例えば、切断加工によって、負極上端面６２、負極下端面６３、各負極側端面６４，６５、及び、負極面取部６６が同時に製造され、実際に面取りが行われていない負極本体４２であっても負極下端面６３と負極側端面６４，６５に対して斜めに交わる面が負極面取部６６に該当する。
【００２５】
正極本体５２は、正面視したときに短辺と長辺とを備える略矩形状である。正極本体５２は、互いに平行に延びる面である正極上端面７２及び正極下端面７３を周縁に備える。正極上端面７２及び正極下端面７３は、矩形状である。正極上端面７２及び正極下端面７３は、正極本体５２を正面視したときに長辺を構成する面である。正極本体５２は、互いに平行に延びる面である一対の正極側端面７４，７５を周縁に備える。正極側端面７４，７５は、正極本体５２を正面視したときに短辺を構成する面である。正極タブ５３は、正極上端面７２に一体に設けられている。
【００２６】
正極本体５２は、正極下端面７３と各正極側端面７４，７５との間に位置して正極下端面７３と各正極側端面７４，７５とを接続している正極面取部７６を備える。正極面取部７６は、２つ設けられている。正極面取部７６は、正極下端面７３と各正極側端面７４，７５に対して斜めに交わる面である。正極上端面７２、正極下端面７３、及び、正極面取部７６によって正極本体５２の周縁は構成されている。本実施形態の正極面取部７６は、Ｃ面状である。
【００２７】
「正極面取部」とは、正極面取部７６がなければ直角、あるいは、鋭角に交わる面同士を繋ぐことで、電極組立体４０における底壁２３及び側壁２５と対向する部位に直角、あるいは、鋭角が生じないようにしている面である。「正極面取部」とは、実際に面取りを行うことで生じた面のみを示すものではなく、直角、あるいは、鋭角を底壁２３と対向する部位に備える正極本体５２を面取りしたと想定した面も含む。例えば、切断加工によって、正極上端面７２、正極下端面７３、各正極側端面７４，７５、及び、正極面取部７６が同時に製造され、実際に面取りが行われていない正極本体５２であっても正極下端面７３と正極側端面７４，７５に対して斜めに交わる面が正極面取部７６に該当する。
【００２８】
図４に示すように、正極上端面７２の長手方向（各正極側端面７４，７５が向かい合う方向）の寸法Ｌ２１は、負極上端面６２の長手方向（各負極側端面６４，６５の向かい合う方向）の寸法Ｌ１１に比べて短い。正極下端面７３の長手方向（各正極側端面７４，７５が向かい合う方向）の寸法Ｌ２２は、負極下端面６３の長手方向（各負極側端面６４，６５が向かい合う方向）の寸法Ｌ１２に比べて短い。各正極側端面７４，７５の長手方向（正極上端面７２と正極下端面７３とが向かい合う方向）の寸法Ｌ２３，Ｌ２４は、各負極側端面６４，６５の長手方向（負極上端面６２と負極下端面６３とが向かい合う方向）の寸法Ｌ１３，Ｌ１４に比べて短い。
【００２９】
図３に示すように、袋状セパレータ８１は、セパレータとしての２つのセパレータ片８２を備える。各セパレータ片８２は同一形状である。セパレータ片８２は、矩形状である。２つのセパレータ片８２の周縁は、溶着などで接合されている。これにより、２つのセパレータ片８２における接合された部分の内側に収納スペースが区画されている。袋状セパレータ８１には、正極電極５１が収納されている。正極タブ５３の一部は、袋状セパレータ８１から突出している。
【００３０】
図４に示すように、袋状セパレータ８１は、互いに平行であるセパレータ上端面８３及びセパレータ下端面８４と、互いに平行である一対のセパレータ側端面８５とを備える。セパレータ上端面８３の長手方向（セパレータ側端面８５が向かい合う方向）の寸法Ｌ３１とセパレータ下端面８４の長手方向（セパレータ側端面８５が向かい合う方向）の寸法Ｌ３２とは同一である。各セパレータ側端面８５の長手方向（セパレータ上端面８３とセパレータ下端面８４とが向かう合う方向）の寸法Ｌ３３は同一である。セパレータ上端面８３とセパレータ側端面８５とが接続する角Ｃ１、及び、セパレータ下端面８４とセパレータ側端面８５とが接続する角Ｃ２は直角である。
【００３１】
なお、袋状セパレータ８１は、同一形状のセパレータ片８２を溶着することで構成されているため、セパレータ上端面８３、セパレータ下端面８４、及び、各セパレータ側端面８５は、各セパレータ片８２の端面で連続することで構成されているものである。即ち、各セパレータ片８２のそれぞれが、セパレータ上端面、セパレータ下端面、及び、各セパレータ側端面を備え、これらが連なることで袋状セパレータ８１のセパレータ上端面８３、セパレータ下端面８４、及び、各セパレータ側端面８５は、各セパレータ片８２を構成していると捉えることもできる。
【００３２】
厚みを除く袋状セパレータ８１の外形寸法は、負極面取部６６が設けられていないと仮定した場合の負極電極４１の外形寸法以上であり、本実施形態では同一である。セパレータ上端面８３の長手方向の寸法Ｌ３１、及び、セパレータ下端面８４の長手方向の寸法Ｌ３２は、負極上端面６２の長手方向の寸法Ｌ１１と同一である。セパレータ側端面８５の長手方向の寸法Ｌ３３は、負極上端面６２と負極下端面６３との間隔Ｌ１５と同一である。
【００３３】
図３に示すように、正極電極５１は、セパレータ上端面８３と正極上端面７２とが同一方向を向き、セパレータ下端面８４と正極下端面７３とが同一方向を向く状態で袋状セパレータ８１に収納されている。
【００３４】
図５及び図６に示すように、電極組立体４０は、負極電極４１と、袋状セパレータ８１に収納された正極電極５１とを交互に積層することで構成されている。以下の説明において、「積層方向」とは、負極電極４１と正極電極５１の積層方向を示すものとする。
【００３５】
袋状セパレータ８１によって負極電極４１と正極電極５１とは絶縁されている。負極下端面６３、正極下端面７３、及び、セパレータ下端面８４は同一方向を向いている。負極上端面６２、正極上端面７２、及び、セパレータ上端面８３は同一方向を向いている。正極電極５１と負極電極４１の積層方向から見て、袋状セパレータ８１の角Ｃ２は、負極面取部６６よりも外方に突出している。
【００３６】
負極本体４２の外形寸法と袋状セパレータ８１の外形寸法は、厚みを除いて同一であるため、積層方向から見て負極本体４２と、袋状セパレータ８１とは全体が対向する。積層方向から見て、負極本体４２の外形は袋状セパレータ８１の外形内に収まっているといえる。換言すれば、積層方向から見て、負極本体４２は、袋状セパレータ８１の領域内に投影される。
【００３７】
電極組立体４０の外面は、負極電極４１、及び、袋状セパレータ８１が連なることで構成される。負極電極４１に負極面取部６６を設けることで、電極組立体４０は、全体として、負極面取部６６が連なる面取部を備えることになる。負極上端面６２とセパレータ上端面８３とは積層方向に並び、負極下端面６３とセパレータ下端面８４とは積層方向に並ぶ。負極側端面６４，６５とセパレータ側端面８５とは積層方向に並ぶ。
【００３８】
図１及び図２に示すように、電極組立体４０は、負極下端面６３、正極下端面７３、及び、セパレータ下端面８４が絶縁シート３０を介して底壁２３と向かい合うようにケース２０に収容されている。負極下端面６３は第１負極面となり、セパレータ下端面８４は第１セパレータ面となる。正極下端面７３は第１正極面となる。
【００３９】
負極側端面６４，６５、及び、セパレータ側端面８５は、絶縁シート３０を介して第１側部２６に向かい合っている。正極側端面７４，７５は、袋状セパレータ８１及び絶縁シート３０を介して第１側部２６に向かい合っている。負極側端面６４，６５、セパレータ側端面８５、及び、正極側端面７４，７５は、積層方向に延びている。負極側端面６４，６５は第２負極面となり、セパレータ側端面８５は第２セパレータ面となる。正極側端面７４，７５は第２正極面となる。
【００４０】
負極面取部６６は、ケース隅部２４に向かい合っている。袋状セパレータ８１の角Ｃ２は、負極面取部６６よりもケース２０（ケース隅部２４）の内面側に位置している。積層方向から見て、袋状セパレータ８１の角Ｃ２は、負極面取部６６と、ケース隅部２４を覆う絶縁シート３０との間に位置している。ここで、ケース隅部２４の内面の半径Ｒ１は、負極面取部６６の面取寸法Ｌ４１に絶縁シート３０の厚みＴを加えた寸法よりも小さい。負極面取部６６の面取寸法Ｌ４１とは、負極下端面６３の延長線と負極側端面６４，６５の延長線とが交わる角Ｃ１１から負極下端面６３（あるいは負極側端面６４，６５）までの寸法である。負極面取部６６の面取寸法Ｌ４１を上記のようにすることで、負極面取部６６と絶縁シート３０との間には隙間が維持されやすい。
【００４１】
次に、二次電池１０の作用について説明する。
二次電池１０に衝撃や振動が加わると、負極下端面６３から絶縁シート３０に荷重が加わる。この際、負極下端面６３と負極側端面６４，６５により直角や鋭角の角が形成されている場合、角と底壁２３によって絶縁シート３０が挟まれることで、絶縁シート３０における角と接触する部位に荷重が集中しやすい。
【００４２】
本実施形態では、負極下端面６３と負極側端面６４，６５とを接続している負極面取部６６を設けているため、負極下端面６３と負極側端面６４，６５とで直角や鋭角の角が形成されていない。これにより、直角や鋭角の部位と、ケース２０とで絶縁シート３０が挟まれることが抑制されている。
【００４３】
図７に示すように、積層方向から見て、袋状セパレータ８１の角Ｃ２は、負極面取部６６よりもケース２０の内面側に突出している。袋状セパレータ８１における負極面取部６６よりもケース２０の内面側に突出した部分は、積層方向に屈曲し、隣接する負極電極４１の負極面取部６６を覆うことになる。負極面取部６６と絶縁シート３０との間に袋状セパレータ８１が介在することで、負極面取部６６から絶縁シート３０に力が加わる際には、袋状セパレータ８１を介して絶縁シート３０に力が加わることになる。袋状セパレータ８１は、負極電極４１に比べて軟らかく、袋状セパレータ８１がクッションとして機能することになる。
【００４４】
なお、二次電池１０に衝撃や振動が加わった場合の二次電池１０の作用について説明したが、二次電池１０の充放電に伴う負極電極４１の膨張によって負極電極４１から絶縁シート３０に荷重が加わる際にも同様の作用が生じる。
【００４５】
したがって、上記実施形態によれば、以下の効果を得ることができる。
（１）負極電極４１は、負極面取部６６を備える。ケース２０内での電極組立体４０の移動により負極面取部６６が絶縁シート３０に接したとしても、直角や鋭角の部位が絶縁シート３０に接する場合に比べて荷重の集中が少ない。したがって、絶縁シート３０が損傷することが抑制される。
【００４６】
更に、袋状セパレータ８１の一部が負極面取部６６と絶縁シート３０との間に介在するようにしている。負極面取部６６から絶縁シート３０に加わる力はセパレータ片８２によって軽減されるため、絶縁シート３０の損傷は更に抑制されている。したがって、ケース２０と電極組立体４０との絶縁が維持されやすく、ケース２０と電極組立体４０との短絡が抑制されている。
【００４７】
（２）正極電極５１は、正極面取部７６を備える。負極電極４１の場合と同様に、ケース２０内での電極組立体４０の移動に伴い、正極電極５１の角により絶縁シート３０が損傷することが抑制されている。また、正極面取部７６を設けることで、負極電極４１と正極電極５１の容量比が維持されやすい。
【００４８】
（３）絶縁シート３０と負極面取部６６との間の隙間が維持されやすいようにしている。このため、負極面取部６６が絶縁シート３０に接触することを抑制することができ、絶縁シート３０の損傷を更に抑制することができる。
【００４９】
なお、実施形態は、以下のように変更してもよい。
○ケース隅部２４の内面の半径Ｒ１は、負極面取部６６の面取寸法Ｌ４１に絶縁シート３０の厚みＴを加えた寸法以上であってもよい。この場合であっても、直角や鋭角の部位が絶縁シート３０に接する場合に比べると絶縁シート３０が損傷しにくい。
【００５０】
○正極電極５１は、正極面取部７６を備えていなくてもよい。即ち、正極下端面７３と正極側端面７４，７５とは直角に交わっていてもよい。リチウムイオン電池においては、正極電極５１の外形寸法は負極電極４１の外形寸法よりも小さい。正極電極５１は負極電極４１に比べて絶縁シート３０に接しにくいため、正極電極５１が正極面取部７６を備えていなくても、絶縁シート３０の損傷を抑制することができる。
【００５１】
○図８に示すように、負極面取部６６は、ケース隅部２４の内面に向けて膨らむアール状であってもよい。この場合、面取寸法とは、負極面取部６６の半径Ｒ２となる。ケース隅部２４の内面の半径は、負極面取部６６の半径に絶縁シート３０の厚みＴを加えた寸法よりも小さくてもよい。
【００５２】
○負極電極４１は、負極上端面６２と負極側端面６４，６５との間に位置し負極上端面６２と負極側端面６４，６５とを接続する面取部を備えていてもよい。また、正極電極５１は、正極上端面７２と正極側端面７４，７５との間に位置し正極上端面７２と正極側端面７４，７５とを接続する面取部を備えていてもよい。
【００５３】
○複数の負極電極４１のうちの一部が負極面取部６６を備えていなくてもよい。この場合であっても、全ての負極電極４１が負極面取部６６を備えていない場合に比べ、絶縁シート３０の損傷を抑制することができる。
【００５４】
○ケース２０の形状は、電極組立体４０を収容することができればどのような形状でもよい。
○ケース隅部２４の内面は、アール状に限られず、直角状などでもよい。
【００５５】
○負極金属箔４４の一方の面にのみ負極活物質層４５が設けられていてもよい。正極金属箔５４の一方の面にのみ正極活物質層５５が設けられていてもよい。
○負極本体４２と正極本体５２の外形寸法は同一でもよい。
【００５６】
○セパレータ片８２同士は溶着されていなくてもよい。
○蓄電装置は、キャパシタでもよい。
【符号の説明】
【００５７】
Ｃ２…角、１０…二次電池（蓄電装置）、２０…ケース、２３…底壁、２４…ケース隅部、２５…側壁、３０…絶縁シート、４０…電極組立体、４１…負極電極、４２…負極本体、４３…負極タブ、４４…負極金属箔、４５…負極活物質層、５１…正極電極、５２…正極本体、５３…正極タブ、５４…正極金属箔、５５…正極活物質層、６３…負極下端面（第１負極面）、６４，６５…負極側端面（第２負極面）、６６…負極面取部、７３…正極下端面（第１正極面）、７４，７５…正極側端面（第２正極面）、７６…正極面取部、８２…セパレータ片（セパレータ）、８４…セパレータ下端面（第１セパレータ面）、８５…セパレータ側端面（第２セパレータ面）。
【図１】
2018142512.tif 000003
【図２】
2018142512.tif 000004
【図３】
2018142512.tif 000005
【図４】
2018142512.tif 000006
【図５】
2018142512.tif 000007
【図６】
2018142512.tif 000008
【図７】
2018142512.tif 000009
【図８】
2018142512.tif 000010